【手続補正書】
【提出日】平成15年10月30日(2003.10.30)
【手続補正１】
【補正対象書類名】明細書
【補正対象項目名】特許請求の範囲
【補正方法】変更
【補正の内容】
【特許請求の範囲】
【請求項１】
画像形成装置において、
形成する画像の品質をチェックする第１のチェック手段と、
前記第１のチェック手段によるチェック結果に応じた異なる基準を用いて、前記画像形成装置の状態をチェックする第２のチェック手段と、
前記第２のチェック手段によるチェック結果に応じて、画像形成の許可判定を行う判定手段と、を有することを特徴とする画像形成装置。
【請求項２】
請求項１において、
前記第１のチェック手段は、高品質の画像を形成するかどうかをチェックすることを特徴とする画像形成装置。
【請求項３】
請求項１において、
前記第２のチェック手段は、画像形成に影響する装置状態をチェックすることを特徴とする画像形成装置。
【請求項４】
請求項１において、
前記第２のチェック手段は、トナー残量、感光ドラムの寿命、排紙トレイが満載か否か、形成画像の濃度の予測値、シート残量の少なくともいずれかをチェックすることを特徴とする画像形成装置。
【請求項５】
請求項１において、
前記判定手段は、画像の形成を許可もしくは禁止を判定することを特徴とする画像形成装置。
【請求項６】
請求項１において、
前記判定手段による判定に基づく表示を行うための表示手段を有することを特徴とする画像形成装置。
【請求項７】
画像形成装置において、
画像を受信する受信手段と、
受信した画像の属性をチェックする第１のチェック手段と、
前記第１のチェック手段によるチェック結果に応じた異なる基準を用いて、前記画像形成装置の状態をチェックする第２のチェック手段と、
前記第２のチェック手段によるチェック結果に応じて、画像形成の許可判定を行う判定手段と、を有することを特徴とする画像形成装置。
【請求項８】
請求項７において、
前記第１のチェック手段は、受信した画像が課金対象の画像かどうかをチェックすることを特徴とする画像形成装置。
【請求項９】
請求項７において、
前記第１のチェック手段は、受信した画像が高品質を要求するものかをチェックすることを特徴とする画像形成装置。
【請求項１０】
請求項７において、
前記第２のチェック手段は、画像形成に影響する装置状態をチェックすることを特徴とする画像形成装置。
【請求項１１】
請求項７において、
前記第２のチェック手段は、トナー残量、感光ドラムの寿命、排紙トレイが満載か否か、形成画像の濃度の予測値、シート残量の少なくともいずれかをチェックすることを特徴とする画像形成装置。
【請求項１２】
請求項７において、
前記判定手段による判定に基づく表示を行うための表示手段を有することを特徴とする画像形成装置。
【請求項１３】
請求項１２において、
前記表示手段は、画像を送信した装置に表示を行わせることを特徴とする画像形成装置。
【請求項１４】
画像形成装置において、
形成する画像の属性をチェックするチェック手段と、
前記チェック手段によるチェック結果に応じた異なる基準を用いて、前記画像形成装置の状態を識別する識別手段と、
前記識別手段による識別結果に応じて、画像形成に関する警告を行うと共に画像形成要求を受け付ける処理、もしくは、画像形成に関する警告無しに画像形成要求を受け付ける処理、もしくは、画像形成を受け付けない処理を、選択的に行う制御手段と、を有することを特徴とする画像形成装置。
【請求項１５】
形成する画像の品質をチェックするための第１のチェック工程と、
前記第１のチェック工程によるチェック結果に応じた異なる基準を用いて、画像形成装置の状態をチェックするための第２のチェック工程と、
前記第２のチェック工程によるチェック結果に応じて、画像形成の許可判定を行うための判定工程と、を有することを特徴とする画像形成方法。
【請求項１６】
外部から受信した画像の属性をチェックするための第１のチェック工程と、
前記第１のチェック工程によるチェック結果に応じた異なる基準を用いて、画像形成装置の状態をチェックするための第２のチェック工程と、
前記第２のチェック工程によるチェック結果に応じて、画像形成の許可判定を行うための判定工程と、を有することを特徴とする画像形成方法。
【請求項１７】
形成する画像の属性をチェックするためのチェック工程と、
前記チェック工程によるチェック結果に応じた異なる基準を用いて、画像形成装置の状態を識別するための識別工程と、
前記識別工程による識別結果に応じて、画像形成に関する警告を行うと共に画像形成要求を受け付ける処理、もしくは、画像形成に関する警告無しに画像形成要求を受け付ける処理、もしくは、画像形成を受け付けない処理を、選択的に行うための制御手段と、を有することを特徴とする画像形成方法。
【請求項１８】
請求項１５〜１７のいずれか１項に記載の画像形成方法の各ステップをコンピュータに実行させるためのプログラムを記憶したコンピュータ読み取り可能な記憶媒体。
【手続補正２】
【補正対象書類名】明細書
【補正対象項目名】０００１
【補正方法】変更
【補正の内容】
【０００１】
【発明の属する技術分野】
本発明は、画像形成装置、画像形成方法及び記憶媒体に関する。


【手続補正３】
【補正対象書類名】明細書
【補正対象項目名】０００７
【補正方法】変更
【補正の内容】
【０００７】
そこで本発明の目的は、確実な印刷や高品質印刷が要求される画像等、形成画像の品質、属性に応じた基準により印刷判定を行うことで、例えば課金対象画像の確実な印刷に対応しつつ、通常のプリンタ使用においてもユーザビリティの低下を抑止することを可能とする画像形成装置、画像形成方法及び記憶媒体を提供することにある。


【手続補正４】
【補正対象書類名】明細書
【補正対象項目名】０００８
【補正方法】変更
【補正の内容】
【０００８】
【課題を解決するための手段】
本発明の画像形成装置は、形成する画像の品質をチェックする第１のチェック手段と、前記第１のチェック手段によるチェック結果に応じた異なる基準を用いて、前記画像形成装置の状態をチェックする第２のチェック手段と、前記第２のチェック手段によるチェック結果に応じて、画像形成の許可判定を行う判定手段と、を有することを特徴とする。


【手続補正５】
【補正対象書類名】明細書
【補正対象項目名】０００９
【補正方法】変更
【補正の内容】
【０００９】
また、本発明の画像形成装置は、画像を受信する受信手段と、受信した画像の属性をチェックする第１のチェック手段と、前記第１のチェック手段によるチェック結果に応じた異なる基準を用いて、前記画像形成装置の状態をチェックする第２のチェック手段と、前記第２のチェック手段によるチェック結果に応じて、画像形成の許可判定を行う判定手段と、を有することを特徴とする。


【手続補正６】
【補正対象書類名】明細書
【補正対象項目名】００１０
【補正方法】変更
【補正の内容】
【００１０】
また、本発明の画像形成装置は、形成する画像の属性をチェックするチェック手段と、前記チェック手段によるチェック結果に応じた異なる基準を用いて、前記画像形成装置の状態を識別する識別手段と、前記識別手段による識別結果に応じて、画像形成に関する警告を行うと共に画像形成要求を受け付ける処理、もしくは、画像形成に関する警告無しに画像形成要求を受け付ける処理、もしくは、画像形成を受け付けない処理を、選択的に行う制御手段と、を有することを特徴とする。


【手続補正７】
【補正対象書類名】明細書
【補正対象項目名】００１１
【補正方法】変更
【補正の内容】
【００１１】
また、本発明の画像形成方法は、形成する画像の品質をチェックするための第１のチェック工程と、前記第１のチェック工程によるチェック結果に応じた異なる基準を用いて、画像形成装置の状態をチェックするための第２のチェック工程と、前記第２のチェック工程によるチェック結果に応じて、画像形成の許可判定を行うための判定工程と、を有することを特徴とする。


【手続補正８】
【補正対象書類名】明細書
【補正対象項目名】００１２
【補正方法】変更
【補正の内容】
【００１２】
また、本発明の画像形成方法は、外部から受信した画像の属性をチェックするための第１のチェック工程と、前記第１のチェック工程によるチェック結果に応じた異なる基準を用いて、画像形成装置の状態をチェックするための第２のチェック工程と、前記第２のチェック工程によるチェック結果に応じて、画像形成の許可判定を行うための判定工程と、を有することを特徴とする。


【手続補正９】
【補正対象書類名】明細書
【補正対象項目名】００１３
【補正方法】変更
【補正の内容】
【００１３】
また、本発明の画像形成方法は、形成する画像の属性をチェックするためのチェック工程と、前記チェック工程によるチェック結果に応じた異なる基準を用いて、画像形成装置の状態を識別するための識別工程と、前記識別工程による識別結果に応じて、画像形成に関する警告を行うと共に画像形成要求を受け付ける処理、もしくは、画像形成に関する警告無しに画像形成要求を受け付ける処理、もしくは、画像形成を受け付けない処理を、選択的に行うための制御手段と、を有することを特徴とする。


【手続補正１０】
【補正対象書類名】明細書
【補正対象項目名】００１４
【補正方法】変更
【補正の内容】
【００１４】
また、本発明の記憶媒体は、上記画像形成方法の各ステップをコンピュータに実行させるためのプログラムを記憶したコンピュータ読み取り可能な記憶媒体である。


【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】変更
【補正の内容】
【００５３】
【作用】
本発明においては、確実な印刷や高品質印刷が要求される画像等、形成画像の品質、属性に応じた基準により印刷判定を行うことで、例えば課金対象画像は通常の画像の基準より厳しい基準で装置状態をチェックして印刷するかどうかの判定を行うので、確実な印刷要求に対応しつつ、通常のプリンタ使用においてもユーザビリティの低下を抑止することができる。


【手続補正５０】
【補正対象書類名】明細書
【補正対象項目名】００９８
【補正方法】変更
【補正の内容】
【００９８】
【発明の効果】
本発明によれば、確実な印刷や高品質印刷が要求される画像等、形成画像の品質、属性に応じた基準により印刷判定を行うことで、例えば課金対象画像は通常の画像の基準より厳しい基準で装置状態をチェックして印刷するかどうかの判定を行うので、確実な印刷要求に対応しつつ、通常のプリンタ使用においてもユーザビリティの低下を抑止することができる。